(57)【要約】【課題】リフォーム時等、換気装置の設置に制約条件が多い場合でも、必要な仕様の送風機の設置が可能な換気装置を得ること。【解決手段】風洞部１１ｃから軸心方向に延び、先端部に、モータのハウジングに周方向に離間して設けられた複数の取付孔に夫々合致するネジ孔が夫々設けられた複数の本体取付脚１１ｄを有する本体筐体１１と、前記モータより外径が小さい小形モータ１４ａを保持し、前記複数の本体取付脚１１ｄの夫々のネジ孔に合致する取付孔が夫々設けられた複数のケース取付脚を有するモータケース１５と、を備える。【選択図】        図１
2010107149.tif 000002
【特許請求の範囲】
【請求項１】
風洞部から軸心方向に延び、先端部に、モータのハウジングに周方向に離間して設けられた複数の取付孔に夫々合致するネジ孔が夫々設けられた複数の本体取付脚を有する本体筐体と、
前記モータより外径が小さい小形モータを保持し、前記複数の本体取付脚の夫々のネジ孔に合致する取付孔が夫々設けられた複数のケース取付脚を有するモータケースと、
を備えることを特徴とする換気装置。
【請求項２】
前記本体取付脚に設けられたネジ孔は、貫通ネジ孔であり、前記モータ及びモータケースを、前記本体取付脚の屋内側からも屋外側からもネジ止め可能であることを特徴とする請求項１に記載の換気装置。
【請求項３】
前記モータケースは、前記ケース取付脚に設けられ前記本体取付脚を両側から挟んで前記モータケースを位置決めするガイド部と、前記小形モータの電源電線を収容する配線スペースと、を備えることを特徴とする請求項１又は２に記載の換気装置。
【請求項４】
前記モータケースに保持された小形モータの後部を覆うモータカバーをさらに備えることを特徴とする請求項１〜３のいずれか１つに記載の換気装置。
【発明の詳細な説明】
【技術分野】
【０００１】
本発明は、建物の壁や天井等に設置され、屋内の空気を吸込んで通風パイプ等を通じて屋外へ排気する換気装置に関するものである。
【背景技術】
【０００２】
従来、室内外を連通させるパイプやダクトに室内側から挿入して装着する円筒状の風洞を有し、この風洞内でプロペラ式の羽根車が回転する送風機を設けた本体に、前記風洞の室内側開口部の外周に連設され、平面部を有する半径方向に張出すフランジ部と、このフランジ部の端縁に設けられ、室内側の側面に端縁が当接する背面側へ突出する立上がり部を有する前面構造を設け、前記本体の前記前面構造の前記フランジ部及び前記立上り部を被覆する着脱可能の化粧パネルを設け、この化粧パネルは、前記フランジ部及び前記立上り部を被覆する内側構造と、この内側構造の前記フランジ部被覆部分に間隔を持って対向する外側構造を持ち、その内側構造には、前記羽根車の外径寸法より小さい内径を持ち、前記風洞の前記室内側開口部に連絡するベルマウスを備え、モータの外径が異なる多種類の換気扇を、一種類の本体に標準化した換気装置がある(例えば、特許文献１参照)。
【０００３】
【特許文献１】特開２００７−３０３７４１号公報
【発明の開示】
【発明が解決しようとする課題】
【０００４】
しかしながら、上記従来の技術によれば、リフォーム時等、換気装置の設置に制約条件が多い場合（例えば、建物の壁厚が薄い場合や、既設の屋外フードを利用して換気装置のみ交換する場合等）、モータの軸方向長さ、建物の壁厚及び屋外フードの組合せ条件により、換気装置が設置できない、という問題があった。
【０００５】
本発明は、上記に鑑みてなされたものであって、リフォーム時等、換気装置の設置に制約条件が多い場合でも、必要な仕様の送風機の設置が可能な換気装置を得ることを目的とする。また、単純な構造で、設置作業性のよい換気装置を得ることを目的とする。
【課題を解決するための手段】
【０００６】
上述した課題を解決し、目的を達成するために、本発明は、風洞部から軸心方向に延び、先端部に、モータのハウジングに周方向に離間して設けられた複数の取付孔に夫々合致するネジ孔が夫々設けられた複数の本体取付脚を有する本体筐体と、前記モータより外径が小さい小形モータを保持し、前記複数の本体取付脚の夫々のネジ孔に合致する取付孔が夫々設けられた複数のケース取付脚を有するモータケースと、を備えることを特徴とする。
【発明の効果】
【０００７】
この発明によれば、リフォーム時等、換気装置の設置に制約条件が多い場合でも、必要な仕様の送風機の設置が可能であり、かつ、単純な構造で、設置作業性のよい換気装置が得られる、という効果を奏する。
【発明を実施するための最良の形態】
【０００８】
以下に、本発明にかかる換気装置の実施の形態を図面に基づいて詳細に説明する。なお、この実施の形態によりこの発明が限定されるものではない。
【０００９】
実施の形態
図１は、本発明にかかる換気装置の実施の形態を示す縦断面図であり、図２は、実施の形態の小形モータを本体筐体の本体取付脚に屋内側から取付けた状態を示す屋内側斜視図であり、図３は、実施の形態の小形モータを本体筐体の本体取付脚に屋内側から取付けた状態を示す屋外側斜視図であり、図４は、実施の形態の送風機を本体筐体の本体取付脚に屋外側から取付けた状態を示す縦断面図であり、図５は、実施の形態のモータケースを示す斜視図であり、図６は、実施の形態のモータカバーを示す斜視図であり、図７は、実施の形態のモータケースに小形モータを取付けた状態を示す斜視図であり、図８は、実施の形態のモータケースに小形モータとモータカバーを取付けた状態を示す斜視図であり、図９は、実施の形態のモータを本体筐体の本体取付脚に屋外側から取付けた状態を示す縦断面図であり、図１０は、実施の形態の他のモータを本体筐体の本体取付脚に屋外側から取付けた状態を示す縦断面図である。
【００１０】
図１に示すように、実施の形態の換気装置１０は、建物の壁３１や天井等の屋内４０側に設置され、屋内４０の空気を吸込んで、通風パイプ３２を通して屋外４１へ排気する。換気装置１０は、本体筐体１１に、小形モータ１４ａと羽根車１３とからなる送風機１２を組み込んだものである。
【００１１】
本体筐体１１は、屋内４０側に配置されるフランジ部１１ａと、屋内４０の空気を吸い込む開口部１１ｂと、風路となる風洞部１１ｃと、風洞部１１ｃから軸心方向に延び、先端部にネジ孔１１ｅが設けられ、ネジ３０ａにより送風機１２を本体筐体１１に取付ける周方向に離間した３本の本体取付脚１１ｄ（図２参照）とを備えている。
【００１２】
図２、図５及び図７に示すように、モータケース１５は、本体筐体１１の本体取付脚１１ｄに取付けられるケース取付脚１５ａと、ケース取付脚１５ａに設けられ本体筐体１１の本体取付脚１１ｄを両側から挟んでモータケース１５を位置決めするガイド部１５ｂと、小形モータ１４ａの電源電線１４ｄを収容する配線スペース１５ｃ（図７参照）と、爪部１５ｄを備えている。小形モータ１４ａは、ネジ３０ｂ（図７参照）により、モータケース１５に取付けられ、保持されている。
【００１３】
図３、図６及び図８に示すように、モータカバー１６は、モータケース１５の爪部１５ｄに係合する引掛部１６ａを備え、引掛部１６ａによりモータケース１５に取付けられて、小形モータ１４ａの後部を覆う。また、化粧パネル３３は、本体筐体１１のフランジ部１１ａを覆うように、壁３１の屋内４０側に装着される。
【００１４】
図１及び図４に示すように、送風機１２の羽根車１３は、小形モータ１４ａの軸先端に取付けられ、本体筐体１１の屋内４０側に形成された開口部１１ｂ側に配置される。送風機１２は、本体筐体１１の開口部１１ｂから屋内４０の空気を吸込み、通風パイプ３２、屋外開口部３２ａ及び屋外フード３４を通して屋外４１へ排気する。
【００１５】
図１〜図４に示すように、小形モータ１４ａを本体筐体１１に取付けるときは、モータケース１５及びモータカバー１６を用いる。モータケース１５は、ネジ３０ｂにより、小形モータ１４ａを固定することができ、本体筐体１１の本体取付脚１１ｄの先端部に当接されるケース取付脚１５ａと、ケース取付脚１５ａに設けられ本体筐体１１の本体取付脚１１ｄを両側から挟んでモータケース１５の位置決めをするガイド部１５ｂと、小形モータ１４ａの電源電線１４ｄを収容する配線スペース１５ｃと、爪部１５ｄと、を備えている。
【００１６】
電源電線１４ｄを、モータケース１５に設けた配線スペース１５ｃ内に収容することにより、電源電線１４ｄの通風抵抗による換気風量の低下を最小限に抑えることができる。
【００１７】
モータカバー１６は、小形モータ１４ａを取付けたモータケース１５の爪部１５ｄに、モータカバー１６の引掛部１６ａを引掛ければ取付けることができ、モータケース１５の内部に設けられた配線スペース１５ｃに、電源電線１４ｄを収容した後に取付けることができ、組立が容易である。
【００１８】
送風機１２を本体筐体１１に取付けるときは、モータケース１５のケース取付脚１５ａを、本体筐体１１の本体取付脚１１ｄに当接させ、本体取付脚１１ｄのネジ孔１１ｅにネジ３０ａをネジ込んで固定する。ネジ孔１１ｅは、貫通ネジ孔であり、送風機１２を、屋内４０側からでも、屋外４１側からでも、本体筐体１１の本体取付脚１１ｄに取付けることができる（図２〜４参照）。
【００１９】
図１〜図３に示すように、送風機１２のモータとして小形モータ１４ａを用いるときは、屋内４０側から取付けるようにする。送風機１２を、本体筐体１１の本体取付脚１１ｄに、屋内４０側からネジ３０ａにより取付けるとき、モータケース１５のケース取付脚１５ａに、ガイド部１５ｂを設けてあるので、送風機１２が、本体筐体１１の本体取付脚１１ｄから外れ難く、送風機１２の位置決め、組立てが容易である。
【００２０】
図９に示すように、小形モータ１４ａよりも外径が大きいモータ１４ｂを送風機１２のモータとして用いるときは、モータケース１５及びモータカバー１６を用いずに、モータ１４ｂのハウジングのフランジを、本体筐体１１の本体取付脚１１ｄに当接させ、本体取付脚１１ｄの貫通ネジ孔１１ｅに、フランジの周方向に離間して設けられて貫通ネジ孔１１ｅに合致する夫々の取付孔を通してネジ３０ａをネジ込んで固定すればよい。
【００２１】
図１０に示すように、小形モータ１４ａよりも外径及びフランジ後方長さが大きい、他のモータ１４ｃを送風機１２のモータとして用いるときも、モータケース１５及びモータカバー１６を用いずに、他のモータ１４ｃのハウジングのフランジを、本体筐体１１の本体取付脚１１ｄに当接させ、本体取付脚１１ｄの貫通ネジ孔１１ｅに、フランジの周方向に離間して設けられて貫通ネジ孔１１ｅに合致する夫々の取付孔を通してネジ３０ａをネジ込んで固定すればよい。
【００２２】
図９及び図１０に示す本体筐体１１の風洞部１１ｃから屋外４１側への送風機１２の突出寸法Ｌが、壁３１から屋外４１側へ突出するような場合は、送風機１２を、本体筐体１１の本体取付脚１１ｄに、屋内４０側から取付けるようにする。
【００２３】
送風機１２を、本体筐体１１の本体取付脚１１ｄに、屋外４１側からのみではなく、屋内４０側からも取付け可能とすることにより、また、小型モータ１４ａを用いることにより、本体筐体１１の風洞部１１ｃから屋外４１側への送風機１２の突出寸法Ｌを小さくすることができ、リフォーム時など、換気装置１０の設置に制約が多い場合（例えば、建物の壁厚寸法を大きくとれない場合や、既設の屋外フード３４を利用し換気装置１０のみを交換するような場合等）でも、換気装置１０を設置することができる。
【００２４】
以上説明したように、実施の形態の換気装置１０は、１種類の本体筐体１１の本体取付脚１１ｄに、大きさの異なる小形モータ１４ａ、モータ１４ｂ、他のモータ１４ｃを搭載することができる。また、組立てが容易であり、リフォーム時など、換気装置１０の設置に制約が多い場合でも、設置が可能である。
【産業上の利用可能性】
【００２５】
以上のように、本発明にかかる換気装置は、リフォーム時等に設置する換気装置として有用である。
【図面の簡単な説明】
【００２６】
【図１】本発明にかかる換気装置の実施の形態を示す縦断面図である。
【図２】実施の形態の小形モータを本体筐体の本体取付脚に屋内側から取付けた状態を示す屋内側の斜視図である。
【図３】実施の形態の小形モータを本体筐体の本体取付脚に屋内側から取付けた状態を示す屋外側の斜視図である。
【図４】実施の形態の送風機を本体筐体の本体取付脚に屋外側から取付けた状態を示す縦断面図である。
【図５】実施の形態のモータケースを示す斜視図である。
【図６】実施の形態のモータカバーを示す斜視図である。
【図７】実施の形態のモータケースに小形モータを取付けた状態を示す斜視図である。
【図８】実施の形態のモータケースに小形モータとモータカバーを取付けた状態を示す斜視図である。
【図９】実施の形態のモータを本体筐体の本体取付脚に屋外側から取付けた状態を示す縦断面図である。
【図１０】実施の形態の他のモータを本体筐体の本体取付脚に屋外側から取付けた状態を示す縦断面図である。
【符号の説明】
【００２７】
１０  換気装置
１１  本体筐体
１１ａ  フランジ部
１１ｂ  開口部
１１ｃ  風洞部
１１ｄ  本体取付脚
１１ｅ  ネジ孔（貫通ネジ孔）
１２  送風機
１３  羽根車
１４ａ  小形モータ
１４ｂ  モータ
１４ｃ  他のモータ
１４ｄ  電源電線
１５  モータケース
１５ａ  ケース取付脚
１５ｂ  ガイド部
１５ｃ  配線スペース
１５ｄ  爪部
１６  モータカバー
１６ａ  引掛部
３０ａ  ネジ
３０ｂ  ネジ
３１  壁
３２  通風パイプ
３２ａ  屋外開口部
３３  化粧パネル
３４  屋外フード
４０  屋内
４１  屋外
【図１】
2010107149.tif 000003
【図２】
2010107149.tif 000004
【図３】
2010107149.tif 000005
【図４】
2010107149.tif 000006
【図５】
2010107149.tif 000007
【図６】
2010107149.tif 000008
【図７】
2010107149.tif 000009
【図８】
2010107149.tif 000010
【図９】
2010107149.tif 000011
【図１０】
2010107149.tif 000012